(57)【要約】  ロケーションコンテキスト識別子（ＬＣＩ）に少なくとも部分的に基づいてモバイルデバイスに測位支援データを与えるためのシステム、方法およびデバイスが開示される。特定の一実装形態では、ユーザは、たとえば、モバイルデバイスの範囲内の送信機からの１つまたは複数の信号を収集することに基づいて識別された候補ＬＣＩのうちの１つまたは複数から選択し得る。【選択図】      図６
2016526152.tif 000002
【特許請求の範囲】
【請求項１】
モバイルデバイスにおいて、
複数の候補ロケーションコンテキスト識別子（ＬＣＩ）を識別することと、
前記複数の候補ＬＣＩのうちの少なくとも２つをランク付けすることと、前記複数の候補ＬＣＩのうちの前記ランク付けされた少なくとも２つは、少なくとも、トップランクの候補ＬＣＩによって参照されるエリア内に前記モバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示することと、
前記第１の確率または尤度と前記第２の確率または尤度との間の差がしきい値量よりも小さい場合、前記別のランクの候補ＬＣＩを提示することと、
前記提示されたトップランクの候補ＬＣＩまたは前記提示された別のランクの候補ＬＣＩの選択を受信することと、
前記選択に少なくとも部分的に基づいてワイヤレス通信チャネルを介して測位支援データを受信することと
を備える方法。
【請求項２】
既知のロケーションに位置する送信機から収集された信号に少なくとも部分的に基づいて前記複数の候補ＬＣＩを決定すること
をさらに備える、請求項１に記載の方法。
【請求項３】
前記提示されたトップランクの候補ＬＣＩまたは前記提示された別のランクの候補ＬＣＩの前記選択を確認するために、前記モバイルデバイスの位置を推定すること
をさらに備える、請求項１に記載の方法。
【請求項４】
前記モバイルデバイスの前記推定位置が前記選択を確認しない場合、提示のために修正された複数の候補ＬＣＩを取得すること
をさらに備える、請求項３に記載の方法。
【請求項５】
１つまたは複数の追加の推定位置と、前記修正された複数の候補ＬＣＩによって参照されるエリアに対応する前記追加の推定位置の１つまたは複数の不確実性とを計算することと、
前記追加の推定位置の前記１つまたは複数の不確実性がしきい値よりも低いことに少なくとも部分的に基づいて、前記モバイルデバイスが、前記複数の候補ＬＣＩのうちの１つのＬＣＩによって参照されるエリア内にあると決定することと
をさらに備える、請求項４に記載の方法。
【請求項６】
前記確認することは、１つまたは複数のアクセスポイントからの受信信号強度を測定すること、推定位置が可能な位置に対応すると決定すること、またはそれらの組合せを備える、請求項３に記載の方法。
【請求項７】
前記第１の確率または尤度および前記第２の確率または尤度が、前記複数の候補ＬＣＩのうちの第２のＬＣＩのアクセスポイントに対する、前記複数の候補ＬＣＩのうちの第１のＬＣＩのアクセスポイントの受信信号強度の指示に少なくとも部分的に基づく、請求項１に記載の方法。
【請求項８】
前記第１の確率または尤度および前記第２の確率または尤度が、前記複数の候補ＬＣＩのうちの第２のＬＣＩの複数のアクセスポイントの平均信号強度に対する、前記複数の候補ＬＣＩのうちの第１のＬＣＩの複数のアクセスポイントの平均信号強度の指示に少なくとも部分的に基づく、請求項１に記載の方法。
【請求項９】
前記第１の確率または尤度および前記第２の確率または尤度が、前記モバイルデバイスと、前記複数の候補ＬＣＩのうちの１つまたは複数の複数のアクセスポイントとの間を進む信号の往復遅延の指示に少なくとも部分的に基づく、請求項１に記載の方法。
【請求項１０】
前記第１の確率または尤度および前記第２の確率または尤度が、前記複数の候補ＬＣＩのうちの第２のＬＣＩのポピュラリティに対する、前記複数の候補ＬＣＩのうちの第１のＬＣＩのポピュラリティに少なくとも部分的に基づく、請求項１に記載の方法。
【請求項１１】
前記第１の確率または尤度および前記第２の確率または尤度が、前記モバイルデバイスの１つまたは複数の前の推定位置に少なくとも部分的に基づく、請求項１に記載の方法。
【請求項１２】
前記第１の確率または尤度および前記第２の確率または尤度が、前記モバイルデバイスの少なくとも１つのセンサーからの１つまたは複数の出力信号に少なくとも部分的に基づく、請求項１に記載の方法。
【請求項１３】
高度の測定値、高度の変化の検出、１つまたは複数の垂直加速度測定値、またはそれらの任意の組合せに応答して前記トップランクの候補ＬＣＩの指示を自動的に提示すること
をさらに備える、請求項１に記載の方法。
【請求項１４】
前記トップランクの候補ＬＣＩの前記提示された指示のうちの少なくともいくつかが、マルチレベル構造の１つまたは複数の階の少なくとも一部分に対応する、請求項１３に記載の方法。
【請求項１５】
前記複数の候補ＬＣＩが、前記複数の候補ＬＣＩのそれぞれのＬＣＩによって参照されるエリア内に前記モバイルデバイスがある確率または尤度の降順に提示される、請求項１に記載の方法。
【請求項１６】
モバイルデバイスであって、
ディスプレイデバイスと、
ワイヤレス信号を受信および送信するためのトランシーバと、
前記トランシーバによって受信された前記ワイヤレス信号に少なくとも部分的に基づいて複数の候補ロケーションコンテキスト識別子（ＬＣＩ）を識別することと、
前記複数の候補ＬＣＩのうちの少なくとも２つをランク付けすることと、前記複数の候補ＬＣＩのうちの前記ランク付けされた少なくとも２つは、少なくとも、トップランクの候補ＬＣＩによって参照されるエリア内に前記モバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記ディスプレイデバイス上で前記トップランクの候補ＬＣＩの提示を開始することと、
前記第１の確率または尤度と前記第２の確率または尤度との間の差がしきい値量よりも小さい場合、前記ディスプレイデバイス上で前記別のランクの候補ＬＣＩの提示を開始することと、
ユーザインターフェースを介して、前記提示されたトップランクの候補ＬＣＩまたは前記提示された別のランクの候補ＬＣＩの選択の受信を開始することと、
前記トランシーバを介して、前記選択に少なくとも部分的に基づいて測位支援データの受信を開始することと
を行うように構成された１つまたは複数のプロセッサと
を備えるモバイルデバイス。
【請求項１７】
前記１つまたは複数のプロセッサが、
既知のロケーションに位置するワイヤレス送信機から収集された信号に少なくとも部分的に基づいて前記複数の候補ＬＣＩを決定すること
を行うようにさらに構成された、請求項１６に記載のモバイルデバイス。
【請求項１８】
前記１つまたは複数のプロセッサが、
前記モバイルデバイス上で動作している位置推定アプリケーションに、前記複数の候補ＬＣＩのうちの前記ランク付けされた少なくとも２つのうちの１つのユーザ選択を確認するように指示すること
を行うようにさらに構成された、請求項１７に記載のモバイルデバイス。
【請求項１９】
前記１つまたは複数のプロセッサが、
１つまたは複数のアクセスポイントからの受信信号強度の測定を開始すること、推定位置が可能な位置に対応すると決定すること、またはそれらの組合せ
を行うようにさらに構成された、請求項１８に記載のモバイルデバイス。
【請求項２０】
前記１つまたは複数のプロセッサが、
ＬＣＩのアクセスポイントの受信信号強度の指示、ＬＣＩのアクセスポイントのグループの平均受信信号強度の指示、前記モバイルデバイスの前の推定位置、前記モバイルデバイスの１つまたは複数のセンサーの出力信号、またはそれらの任意の組合せに少なくとも部分的に基づいて、前記第１の確率または尤度と前記第２の確率または尤度とを決定すること
を行うようにさらに構成された、請求項１６に記載のモバイルデバイス。
【請求項２１】
前記１つまたは複数のプロセッサが、
前記ディスプレイデバイス上で、気圧、垂直加速度、またはそれらの組合せに基づく高度の変化の検出に応答して前記複数の候補ＬＣＩのうちの前記少なくとも２つの指示の提示を開始すること
を行うようにさらに構成された、請求項１６に記載のモバイルデバイス。
【請求項２２】
前記１つまたは複数のプロセッサは、
高度の前記変化がマルチレベル構造の階指定の変化に対応すると決定すること
を行うようにさらに構成された、請求項２１に記載のモバイルデバイス。
【請求項２３】
前記１つまたは複数のプロセッサは、
前記モバイルデバイスがその内に位置するエリアに対応するＬＣＩの確率または尤度指示の降順に提示すること
を行うようにさらに構成された、請求項１６に記載のモバイルデバイス。
【請求項２４】
複数の候補ロケーションコンテキスト識別子（ＬＣＩ）を識別するための命令と、
前記複数の候補ＬＣＩのうちの少なくとも２つをランク付けするための命令と、前記複数の候補ＬＣＩのうちの前記ランク付けされた少なくとも２つは、少なくとも、トップランクの候補ＬＣＩによって参照されるエリア内にモバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
ディスプレイデバイス上で前記トップランクの候補ＬＣＩを提示するための命令と、
前記第１の確率または尤度と前記第２の確率または尤度との間の差がしきい値量よりも小さい場合、前記ディスプレイデバイス上で前記別のランクの候補ＬＣＩを提示するための命令と、
前記提示されたトップランクの候補ＬＣＩまたは前記提示された別のランクの候補ＬＣＩの選択を受信するための命令と、
前記選択に少なくとも部分的に基づいてワイヤレス通信チャネルを介して測位支援データを受信するための命令と
を備える、前記モバイルデバイスの１つまたは複数のプロセッサによって実行可能である、その上に記憶された機械可読命令を備える非一時的記憶媒体
を備える物品。
【請求項２５】
前記モバイルデバイスの前記１つまたは複数のプロセッサによって実行可能である、その上に記憶された前記機械可読命令を備える前記記憶媒体が、
既知のロケーションに位置する送信機から収集された信号に少なくとも部分的に基づいて前記複数の候補ＬＣＩを決定するための命令
をさらに備える、請求項２４に記載の物品。
【請求項２６】
前記モバイルデバイスの前記１つまたは複数のプロセッサによって実行可能である、その上に記憶された前記機械可読命令を備える前記記憶媒体が、
前記複数の候補ＬＣＩのうちの前記ランク付けされた少なくとも２つのそれぞれの候補ＬＣＩによって参照されるエリア内に前記モバイルデバイスがある確率または尤度の降順で、前記複数の候補ＬＣＩのうちの前記ランク付けされた少なくとも２つを表示するための命令
をさらに備える、請求項２４に記載の物品。
【請求項２７】
ワイヤレス信号を受信し、測定するための手段と、
複数の候補ロケーションコンテキスト識別子（ＬＣＩ）を識別するための手段と、
前記複数の候補ＬＣＩのうちの少なくとも２つをランク付けするための手段と、前記複数の候補ＬＣＩのうちの前記ランク付けされた少なくとも２つは、少なくとも、トップランクの候補ＬＣＩによって参照されるエリア内にモバイルデバイスが位置する第１の確率または尤度を有する前記トップランクの候補ＬＣＩと、別のランクの候補ＬＣＩによって参照されるエリア内に前記モバイルデバイスが位置する第２の確率または尤度を有する前記別のランクの候補ＬＣＩとを備える、
前記トップランクの候補ＬＣＩを提示するための手段と、
前記第１の確率または尤度と前記第２の確率または尤度との間の差がしきい値量よりも小さい場合、前記別のランクの候補ＬＣＩを提示するための手段と、
前記提示されたトップランクの候補ＬＣＩまたは前記提示された別のランクの候補ＬＣＩの選択を受信するための手段と、
前記選択に少なくとも部分的に基づいてワイヤレス通信チャネルを介して測位支援データを受信するための手段と
を備える装置。
【請求項２８】
前記複数の候補ＬＣＩのうちの少なくとも２つをランク付けするための前記手段が、前記複数の候補ＬＣＩのうちの前記少なくとも２つのそれぞれのＬＣＩによって参照されるエリア内に前記モバイルデバイスがある確率または尤度の降順で、前記複数の候補ＬＣＩのうちの前記少なくとも２つを配置するための手段をさらに備える、請求項２７に記載の装置。
【請求項２９】
前記提示されたトップランクの候補ＬＣＩまたは前記提示された別のランクの候補ＬＣＩの前記選択を確認するための手段
をさらに備える、請求項２７に記載の装置。
【請求項３０】
前記選択を確認するための前記手段が、
ＬＣＩのアクセスポイントの受信信号強度の指示、ＬＣＩのアクセスポイントのグループの平均受信信号強度の指示、前記モバイルデバイスの前の推定位置、前記モバイルデバイスの１つまたは複数のセンサーの出力信号、またはそれらの任意の組合せに少なくとも部分的に基づいて、前記第１の確率または尤度と前記第２の確率または尤度とを計算するための手段
を備える、請求項２９に記載の装置。
【発明の詳細な説明】
【技術分野】
【０００１】
関連出願
本出願は、その全体が参照により本明細書に組み込まれる、２０１３年４月２６日に出願された「System, Method and/or Devices For Selecting A Context Indicator for Positioning」と題する米国仮特許出願第６１／８１６，６７０号、および２０１４年２月２８日に出願された「System, Method and/or Devices For Selecting A Location Context Identifier for Positioning A Mobile Device」と題する米国非仮特許出願第１４／１９４，５３０号の優先権を主張するＰＣＴ出願である。
【０００２】
[0001]本明細書で開示する主題は、モバイル電子デバイスに関し、より詳細には、モバイル電子デバイス上に屋内マップを提示するのを支援するためにロケーションコンテキスト識別子（location context identifier）を選択するために使用され得る方法、装置、および製造品に関する。
【背景技術】
【０００３】
情報
[0002]ＧＰＳおよび他の同様の衛星測位システム（ＳＰＳ：satellite positioning system）は、屋外環境におけるモバイルハンドセットのためのナビゲーションサービスを可能にした。しかしながら、屋内環境では衛星信号が確実に受信および／または収集されないことがあるので、屋内ナビゲーションサービスを可能にするために異なる技法が採用され得る。たとえば、モバイルデバイスは、一般に、既知のロケーションに位置し得る３つ以上の地上波ワイヤレスアクセスポイントまでの距離を測定することによって位置フィックス（position fix）を取得し得る。そのような距離は、たとえば、そのようなアクセスポイントから受信された信号からメディアアクセス制御識別情報（ＭＡＣ  ＩＤ：media access control identification）アドレスを取得することと、たとえば、ほんの数例を挙げると、信号強度、往復遅延など、そのようなアクセスポイントから受信された信号の１つまたは複数の特性を測定することとによって測定され得る。
【０００４】
[0003]いくつかの実装形態では、屋内ナビゲーションシステムは、モバイルデバイスが屋内エリアに入るとき、そのデバイスにデジタル電子マップを与え得る。そのようなマップは、ドア、廊下、出入口、壁などの屋内特徴を提示し得る。屋内エリアのデジタル電子マップは、レストラン、カフェ、ストア、キオスク、化粧室などの当該ポイント（ＰＯＩ：points of interest）をも示し得る。そのようなデジタル電子マップは、たとえば、ユニバーサルリソースロケータ（ＵＲＬ：universal resource locator）の選択を通してモバイルデバイスによってアクセス可能であるようにサーバに記憶され得る。そのようなマップを取得し、提示することによって、モバイルデバイスユーザは、ユーザに追加のコンテキストを与えるディスプレイデバイス上で彼または彼女の現在ロケーションを知らされ得る。
【０００５】
[0004]しかしながら、たとえば、大型空港またはショッピングモールなど、多層屋内構造内のモバイルデバイスの正確な位置推定値を確かめることが問題になり得る場合がある。そのような事例では、構造内に位置する様々なアクセスポイントから受信される信号の特性は、モバイルデバイスが、特定の階でまたは特定のエリア内でそれ自体の位置を正確に特定することを可能にするのに十分な程度まで変動しないことがある。たとえば、大型ショッピングモールでは、１階（ground floor）においてまたはその近くでモバイルデバイスによって受信される信号の受信信号強度、往復遅延、および他の特性は、２階（second floor）においてまたはその近くでモバイルデバイスによって受信される信号特性と区別できないことがある。そのような事例では、たとえば、ロケーションサーバは、モバイルデバイスにおいて受信された信号に基づいてモバイルデバイスの位置を正確に推定することができないことがある。したがって、隣接するエリアにおける、または同様の信号特性をもつ他のエリアにおける他のデジタルマップに対して、ショッピングモールの特定の階などの当該ポイントにナビゲートするためにモバイルデバイスユーザによって使用され得る正しいデジタルマップを確かめ、与えることは、特に困難であり得る。
【発明の概要】
【０００６】
[0005]手短に言えば、特定の実装形態は、モバイルデバイスにおいて、複数の候補ロケーションコンテキスト識別子（ＬＣＩ）を識別することと、複数の候補ＬＣＩのうちの少なくとも２つをランク付けすることとを備える方法を対象とし得る。少なくとも、トップランクの候補ＬＣＩによって参照されるエリア内にモバイルデバイスが位置する第１の確率または尤度（likelihood）を有するトップランクの候補ＬＣＩと、別のランクの候補ＬＣＩによって参照されるエリア内にモバイルデバイスが位置する第２の確率または尤度を有する別のランクの候補ＬＣＩとを含む、ランク付けされた少なくとも２つの候補ＬＣＩ。本方法は、トップランクの候補ＬＣＩを提示することと、第１の確率または尤度と第２の確率または尤度との間の差がしきい値量よりも小さい場合、別のランクの候補ＬＣＩを提示することとをさらに備え得る。本方法は、提示されたトップランクの候補ＬＣＩまたは提示された別のランクの候補ＬＣＩの選択を受信することと、その選択に少なくとも部分的に基づいてワイヤレス通信チャネルを介して測位支援データを受信することとをさらに備え得る。
【０００７】
[0006]別の特定の実装形態は、ディスプレイデバイスと、ワイヤレス信号を受信および送信するためのトランシーバと、トランシーバによって受信されたワイヤレス信号に少なくとも部分的に基づいて複数の候補ロケーションコンテキスト識別子（ＬＣＩ）を識別するための１つまたは複数のプロセッサとを備えるモバイルデバイスを対象とし得る。１つまたは複数のプロセッサは、さらに、複数の候補ＬＣＩのうちの少なくとも２つをランク付けし得、ランク付けされた少なくとも２つの候補ＬＣＩは、少なくとも、トップランクの候補ＬＣＩによって参照されるエリア内にモバイルデバイスが位置する第１の確率または尤度を有するトップランクの候補ＬＣＩと、別のランクの候補ＬＣＩによって参照されるエリア内にモバイルデバイスが位置する第２の確率または尤度を有する別のランクの候補ＬＣＩとを含む。１つまたは複数のプロセッサは、さらに、ディスプレイデバイス上でトップランクの候補ＬＣＩの提示を開始し得、第１の確率または尤度と第２の確率または尤度との間の差がしきい値量よりも小さい場合、ディスプレイデバイス上で別のランクの候補ＬＣＩの提示を開始し得る。１つまたは複数のプロセッサは、さらに、ユーザインターフェースを介して、提示されたトップランクの候補ＬＣＩまたは提示された別のランクの候補ＬＣＩの選択の受信を開始し得、トランシーバを介して、その選択に少なくとも部分的に基づいて測位支援データの受信を開始し得る。
【０００８】
[0007]別の特定の実装形態は、複数の候補ロケーションコンテキスト識別子（ＬＣＩ）を識別することと、複数の候補ＬＣＩのうちの少なくとも２つをランク付けすることと、候補ＬＣＩのうちのランク付けされた少なくとも２つが、少なくとも、トップランクの候補ＬＣＩによって参照されるエリア内にモバイルデバイスが位置する第１の確率または尤度を有するトップランクの候補ＬＣＩと、別のランクの候補ＬＣＩによって参照されるエリア内にモバイルデバイスが位置する第２の確率または尤度を有する別のランクの候補ＬＣＩとを含む、を行うためにモバイルデバイスの専用計算装置によって実行可能である、その上に記憶された機械可読命令を備える非一時的記憶媒体を備える物品を対象とし得る。機械可読命令は、さらに、ディスプレイデバイス上でトップランクの候補ＬＣＩを提示することと、第１の確率または尤度と第２の確率または尤度との間の差がしきい値量よりも小さい場合、ディスプレイデバイス上で別のランクの候補ＬＣＩを提示することとを行うためのものであり得る。機械可読命令は、さらに、提示されたトップランクの候補ＬＣＩまたは提示された別のランクの候補ＬＣＩの選択を受信することと、その選択に少なくとも部分的に基づいてワイヤレス通信チャネルを介して測位支援データを受信することとを行うためのものであり得る。
【０００９】
[0008]別の特定の実装形態は、ワイヤレス信号を受信するための手段と、複数の候補ロケーションコンテキスト識別子（ＬＣＩ）を識別するための手段と、複数の候補ＬＣＩのうちの少なくとも２つをランク付けするための手段とを備える装置を対象とし得、ここにおいて、候補ＬＣＩのうちのランク付けされた少なくとも２つは、少なくとも、トップランクの候補ＬＣＩによって参照されるエリア内にモバイルデバイスが位置する第１の確率または尤度を有するトップランクの候補ＬＣＩを含み、別のランクの候補ＬＣＩによって参照されるエリア内にモバイルデバイスが位置する第２の確率または尤度を有する別のランクの候補ＬＣＩを含む。本装置は、トップランクの候補ＬＣＩを提示するための手段と、第１の確率または尤度と第２の確率または尤度との間の差がしきい値量よりも小さい場合、別のランクの候補ＬＣＩを提示するための手段と、提示されたトップランクの候補ＬＣＩまたは提示された別のランクの候補ＬＣＩの選択を受信するための手段と、その選択に少なくとも部分的に基づいてワイヤレス通信チャネルを介して測位支援データを受信するための手段とをさらに備え得る。
【００１０】
[0009]上述の実装形態は例示的な実装形態にすぎず、請求する主題は、必ずしもこれらの例示的な実装形態の特定の態様に限定されるとは限らないことを理解されたい。
【００１１】
[0010]以下の図を参照しながら非限定的で非網羅的な態様について説明し、別段に規定されていない限り、様々な図の全体を通して、同様の参照番号は同様の部分を指す。
【図面の簡単な説明】
【００１２】
【図１】[0011]一実施形態による、ネットワークトポロジーの概略図。
【図２】[0012]１つまたは複数の実施形態による、屋内環境の少なくとも一部分の画像を示す例示的なモバイルデバイス上のディスプレイの図。
【図３】１つまたは複数の実施形態による、屋内環境の少なくとも一部分の画像を示す例示的なモバイルデバイス上のディスプレイの図。
【図４】[0013]一実施形態による、ユーザによる選択のために候補ＬＣＩの指示のリストを示す例示的なモバイルデバイス上のディスプレイの概略図。
【図５】[0014]一実施形態による、複数のＬＣＩを備える多層建築物の１階および地階のレイアウトの概略図。
【図６】[0015]一実施形態による、モバイルデバイスを測位するためにＬＣＩを選択する方法のための流れ図。
【図７】一実施形態による、モバイルデバイスを測位するためにＬＣＩを選択する方法のための流れ図。
【図８】[0016]一実施形態による、モバイルデバイスの概略図。
【図９】[0017]モバイルデバイスを測位するためにＬＣＩを選択するための技法を実装するように構成可能な１つまたは複数のデバイスを含み得る例示的なシステムを示す概略図。
【発明を実施するための形態】
【００１３】
[0018]以下の詳細な説明では、請求する主題の完全な理解を与えるために多数の具体的な詳細を記載する。ただし、請求する主題はこれらの具体的な詳細なしに実施され得ることを、当業者は理解されよう。他の事例では、請求する主題を不明瞭にしないように、当業者に知られているであろう方法、装置、および／またはシステムについては詳細に説明していない。
【００１４】
[0019]本明細書で使用する「モバイル電子デバイス」、「モバイルデバイス」、「ワイヤレスデバイス」、またはそのような用語の複数形は、互換的に使用され得、変化する位置を時々占有し得る任意の種類の専用コンピューティングプラットフォームまたは装置を指すことがある。いくつかの事例では、モバイル通信デバイスは、たとえば、１つまたは複数の通信プロトコルに従う情報のワイヤレス送信または受信を通して、モバイルまたはそれ以外の他のデバイスと通信することが可能であり得る。例示として、本明細書では単に「モバイルデバイス」と呼ぶことがある専用モバイル通信デバイスは、たとえば、セルラー電話、スマート電話、携帯情報端末、ラップトップコンピュータ、パーソナルエンターテインメントシステム、タブレットパーソナルコンピュータ、パーソナルオーディオまたはビデオデバイス、パーソナルナビゲーションデバイスなどを含み得る。ただし、これらは、少なくとも部分的に、たとえば、モバイルデバイス上で、屋内エリアのデジタルマップなど、デジタルマップを表示するための１つまたは複数の動作および／または技法を実装するために使用され得るモバイルデバイスの例にすぎず、請求する主題はこの点について限定されないことを諒解されたい。また、「位置」および「ロケーション」という用語は、本明細書では互換的に使用され得ることに留意されたい。
【００１５】
[0020]本明細書で使用する「当該ポイント」または「ＰＯＩ」という用語は、デジタルマップ、または物理的特徴を示すエリアの他のタイプの図式表現上の特定の有用なまたは関心点のロケーションを指すことがある。したがって、ショッピングモールでは、たとえば、ＰＯＩは、化粧室、会議および／またはミーティング室、百貨店、ブティック、キオスク、エレベータ、エスカレータ、階段、レストランなどを含み得、それらは、ショッピングモール、スタジアム、タウンスクエア、アンフィシアター、駐車場、遊園地、または他のエリアのデジタルマップ上にオーバーレイされ得る。電子デジタルマップは、たとえば、好適なサーバに記憶され得、たとえば、ユニフォームリソースロケータ（ＵＲＬ：Uniform Resource Locator）の選択を介してなど、モバイルデバイスによってワイヤレスにアクセス可能であり得る。当該の屋内または同様のエリアのデジタルマップを取得することによって、モバイルデバイスは、たとえば、追加のコンテキスト、基準系などをユーザに与えるために、エリアの表示されたマップ上にそれの現在ロケーションをオーバーレイすることが可能であり得る。
【００１６】
[0021]また、本明細書で使用する「ロケーションコンテキスト識別子」または「ＬＣＩ」という用語は、グローバル座標系に従ってマッピングされないことがある、ショッピングモール、空港、スタジアム、または他の複雑構造など、複雑構造の少なくとも一部分を表し得る。そのような複雑構造では、たとえば、識別子「１階」は第１のロケーションコンテキストに対応し得、識別子「２階」は第２のロケーションコンテキストに対応し得る。１階が到着便に専用であり得、２（上）階が出発便に専用であり得る、空港ターミナルなど、別の例では、第１のＬＣＩは、１階の当該ポイントを提示するデジタルマップなど、支援を与えるために使用され得る。第２のＬＣＩは、２階の当該ポイントについて支援を与えるために使用され得る。たとえば、手荷物受取所および地上交通機関階、たとえば、ファーストまたはビジネスクラスラウンジに専用の階など、追加の階の当該ポイントについて支援を与えるために追加のＬＣＩが使用され得る。さらに、実施形態では、空港の下階の手荷物受取所エリアのための第１のＬＣＩ、空港の下階の地上交通機関エリアのための第２のＬＣＩなど、階の一部分内の当該ポイントにナビゲートする際に支援を与えるためにＬＣＩが使用され得る。請求する主題は、特定のジオメトリおよび／または複雑さに応じて、マルチレベル構造の階全体および／またはマルチレベル構造の１つまたは複数の階の部分について測位およびルーティング支援を与えるための、ロケーションコンテキスト識別子のすべての使用を包含するものとする。
【００１７】
[0022]時々、モバイルデバイスユーザは、たとえば、大型ショッピングモール、空港、または他の複雑構造内の、たとえば、特定のタイプのＰＯＩの位置を特定することに関心をもち得る。複雑構造内では、モバイルデバイスは、その構造内の様々なロケーションに分散されたワイヤレスアクセスポイントと通信することが可能であり得る。したがって、前述のように、モバイルデバイスは、構造全体にわたって位置する１つまたは複数のアクセスポイントから受信された信号の特性を評価し得る。モバイルデバイスは、モバイルデバイスが１つまたは複数のアクセスポイントに対するそれのロケーションを推定することを可能にする様式で、たとえば、往復遅延、受信信号強度、および／または他の特性などの信号パラメータを測定し得る。ＬＣＩ内のユーザの推定ロケーションは、ワイヤレス通信チャネルを介してモバイルデバイスに送信されたデジタルマップ上のロケーションに示され得る。モバイルデバイス上で動作しているルーティングアプリケーションは、ＬＣＩ内のユーザを図示し得、モバイルデバイスユーザに１つまたは複数のルートを提示し得る。ＬＣＩ内のユーザの位置を特定することに応答して、モバイルデバイスは、たとえば、ユーザを１つまたは複数の目的地ＰＯＩに導くためのルーティングコマンドをユーザに与え得る。
【００１８】
[0023]しかしながら、いくつかの事例では、ＬＣＩ内のモバイルデバイスのロケーションを正確に推定するための、信号強度、往復遅延、および他の信号特性の使用が問題になることがある。たとえば、大型のマルチレベルショッピングモールでは、ワイヤレスアクセスポイントは、たとえば、ショッピングモールの２つまたはそれ以上の階に比較的均一な信号強度を与える様式でアトリウム中に配置され得る。この事例では、たとえば、１階に位置するモバイルデバイスは、ワイヤレスアクセスポイントからの１つまたは複数の信号の第１の信号強度を測定し得る。ショッピングモールの２階においてモバイルデバイスによって測定され得る第２の測定信号強度は、ショッピングモールの１階で測定される信号強度とは著しく異ならないことがある。したがって、マップサーバは、たとえば、ユーザが１階のためのデジタルマップを受信すべきかどうか、あるいはユーザが２階、地階、中２階、または他の階のデジタルマップを受信すべきかどうかを決定することができないことがある。これらの事例では、ユーザは、適切なデジタルマップをダウンロードすることができないことがあり、目的地ＰＯＩにナビゲートする際に支援を与えるためにモバイルデバイスを利用することが可能でないことがある。他の事例では、ユーザは、たとえば、ユーザの現在ロケーションでの使用に好適でないルーティング命令を与え得る正しくないデジタルマップをマップサーバから受信し得る。そのような事例では、ユーザは、たとえば、ルーティング命令を、完全に所定の位置を外れたように見える物理的特徴と一致させようと試みて、ショッピングモールの一部分を動き回っていることに気づくことがある。
【００１９】
[0024]別の事例では、１つまたは複数の位置推定手法が、相補型位置情報を与え得る様式で使用され得る。たとえば、モバイルデバイスは、たとえば、ＬＣＩ内のロケーションの第１の推定値を与え得る往復遅延手法を採用し得る。しかしながら、モバイルデバイスが、たとえば、アクセスポイントからの信号の受信信号強度の１つまたは複数の指示を使用して相補型位置情報を利用することを試みる場合、壁、ドア、エレベータシャフトなどの障害物がかなりの信号減衰を生じ得る。したがって、モバイルデバイスは、矛盾する位置推定値を計算することがある。そのような事例では、位置推定の不正確さにより、マップサーバが、たとえば、モバイルデバイスに正しくないデジタルマップを与えることになり得る。したがって、ユーザは、たとえば、周囲と、デジタルマップ上にある当該ポイントを一致させようと試みながら、混乱しおよび／または方向がわからなくなり得る。
【００２０】
[0025]他の事例では、マップサーバは、モバイルデバイスの正確な推定値が可能でない場合、たとえば、ショッピングモール、アンフィシアター、スタジアム、空港ターミナルなど、複雑構造全体のデジタルマップをダウンロードし得る。そのような事例では、マップサーバは、ベニューの小さい部分のみに関心があり得るモバイルデバイスユーザにベニュー全体のデジタルマップをダウンロードするようにとの頻繁な要求により著しくおよび不必要に負担がかかることがある。そのような頻繁なダウンロードはまた、ワイヤレスチャネル帯域幅を消費し得、これは、たとえば、ワイヤレスネットワークが、遅く、反応しないように見えることの原因となり得る。
【００２１】
[0026]実施形態では、マップサーバが、たとえば、複雑構造全体に対応し得るはるかに大きいデジタルマップの送信を回避する様式で、たとえば、デジタルマップ、計画されたルート、ヒートマップなど、測位および／またはルーティング支援を与えることを可能にするためにＬＣＩが使用され得る。さらに、実施形態は、モバイルデバイスユーザが、デジタルマップ、計画されたルートなど、測位および／またはルーティング支援がそのユーザにとって有益および／または有利である尤度を増加させ得るＬＣＩを選択することを可能にし得る。実施形態では、モバイルデバイスユーザからの少量の対話が、たとえば、１つまたは複数のマップサーバによって与えられる測位および／またはルーティング支援の精度およびユーザビリティの有意な増加をもたらし得る。そのような対話は、たとえば、ディスプレイデバイスを介して提示されるＬＣＩの指示のグループから１つのＬＣＩの指示を選択することを備え得る。ただし、ＬＣＩは他の技法および／または手法に従って選択され得るので、請求する主題はそのように限定されないことに留意されたい。
【００２２】
[0027]実施形態では、ユーザは、モバイルデバイスのディスプレイデバイスを介して、１つまたは複数の候補ＬＣＩなど、指示を提示され得る。ユーザは、所望のＬＣＩを選択し得、その選択に応答して、たとえば、マップサーバから測位および／またはルーティング支援を受信し得る。実装形態では、ユーザが、マルチレベル構造の特定の階、空港ターミナルの一部分、または他の大型で少なくとも部分的に屋内の複雑構造に対応し得るＬＣＩを選択した場合、位置推定アプリケーションが正しい選択を検証または確認し得る。ユーザの選択のそのような確認／検証は、図５を参照しながらさらに説明するように、モバイルデバイスが、近くのワイヤレスアクセスポイントから送信された信号の信号強度を測定すること、モバイルデバイスの推定位置がデジタルマップ上に図示された可能な位置に対応すると決定することを伴い得る。他の実施形態では、モバイルデバイスは、たとえば、垂直方向における移動を特徴づけることを可能にするために、気圧センサー、垂直加速度センサー、磁力計など、１つまたは複数のセンサーを採用し得る。そのような測定は、たとえば、モバイルデバイスユーザが多層構造の１階より上のある高度（たとえば、２５階）に位置することを確認し得る。
【００２３】
[0028]実施形態では、モバイルデバイスは、最尤アルゴリズムまたは他の技法に従ってＬＣＩの中から自動的に選択し得る。しかしながら、ユーザは、目視観測、事前知識によって、または何らかの他の手段によって、ＬＣＩの自動選択が実際は正しくない選択を表すことを確かめ得る。そのような事例では、ユーザは、たとえば、ＬＣＩの自動選択をオーバーライドすることを選択し得る。別の事例では、たとえば、モバイルデバイスユーザは、ディスプレイデバイスが、少なくともユーザによって正しくないことが知られていることがあるＬＣＩの指示を提示していることに気づき得る。これは、たとえば、ユーザが、表示されたＬＣＩのリストをオーバーライドし得る、追加の事例を表し得る。
【００２４】
[0029]別の事例では、たとえば、モバイルデバイスが、自動的に選択されたＬＣＩから取得された支援データに基づいて位置フィックスを計算することができない場合、ユーザは、自動的に選択されたＬＣＩをオーバーライドし得る。本明細書でさらにわかるように、ユーザは、少なくとも部分的に他の出来事に応答してＬＣＩの選択をオーバーライドし、および／またはＬＣＩの手動選択を実行し得、請求する主題はこの点について限定されない。
【００２５】
[0030]図１は、一実施形態による、ネットワークトポロジー１００の概略図である。以下で説明するように、デジタルマップ上でモバイルデバイスを測位するためにＬＣＩを選択するための１つまたは複数のプロセスまたは動作が、たとえば、モバイルデバイス１０２によって利用され得る信号環境において実装され得る。ネットワークトポロジー１００について、本明細書では、公衆ネットワーク（たとえば、インターネット、ワールドワイドウェブ）、プライベートネットワーク（たとえば、イントラネット）、ワイヤレスローカルエリアネットワーク（ＷＬＡＮなど）など、様々な通信ネットワークまたはネットワークの組合せのフレームワークにおいて、全体的にまたは部分的に実装され得る非限定的な例として説明することを諒解されたい。また、請求する主題は屋内実装形態に限定されないことに留意されたい。たとえば、時々、本明細書で説明する１つまたは複数の動作または技法は、少なくとも部分的に、空港ターミナル、マルチレベルショッピングモール、アンフィシアター、駐車場、屋上庭園、パティオなど、部分的にまたは実質的に囲まれたエリアを含み得る屋内のような環境において実行され得る。時々、本明細書で説明する１つまたは複数の動作または技法は、少なくとも部分的に屋外環境において実行され得る。
【００２６】
[0031]図示のように、ネットワークトポロジー１００は、たとえば、１つまたは複数のプロトコルに従ってワイヤレス通信リンク１２５を介してモバイルデバイス１０２と通信することが可能な１つまたは複数のスペースビークル１６０、基地トランシーバ局１１０、ワイヤレス送信機１１５などを備え得る。スペースビークル１６０は、たとえば、米国の全地球測位システム（ＧＰＳ：Global Positioning System）、ロシアのＧＬＯＮＡＳＳシステム、欧州のＧａｌｉｌｅｏシステム、ならびに衛星測位システム（ＳＰＳ）の組合せからのスペースビークルを利用し得る任意のシステム、または将来開発される任意のＳＰＳなど、１つまたは複数のＳＰＳに関連付けられ得る。スペースビークル１６０はまた、たとえば、日本の準天頂衛星システム（ＱＺＳＳ：Quasi-Zenith Satellite System）、インドのインド地域航法衛星システム（ＩＲＮＳＳ：Indian Regional Navigational Satellite System）、中国のＢｅｉｄｏｕ／Ｃｏｍｐａｓｓなどの地域衛星ナビゲーションシステム、ならびに／あるいは１つまたは複数の全地球および／または地域航法衛星システムに関連付けられるか、またはさもなければそれらのシステムとともに使用することが可能であり得る様々なオーグメンテーションシステム（たとえば、衛星ベースオーグメンテーションシステム（ＳＢＡＳ：Satellite Based Augmentation System））の１つまたは複数の周回スペースビークルを表し得る。請求する主題は、上述の全地球または地域衛星ナビゲーションシステムのスペースビークルなど、スペースビークルの使用に限定されないことに留意されたい。基地トランシーバ局１１０、ワイヤレス送信機１１５などは、たとえば、同じまたは同様のタイプであり得るか、または実装形態に応じて、アクセスポイント、無線ビーコン、セルラー基地局、フェムトセルなど、異なるタイプのデバイスを表し得る。時々、ワイヤレス送信機１１５など、１つまたは複数のワイヤレス送信機は、たとえば、ワイヤレス信号を送信ならびに受信することが可能であり得る。
【００２７】
[0032]いくつかの事例では、１つまたは複数の基地トランシーバ局１１０、ワイヤレス送信機１１５などは、たとえば、１つまたは複数のワイヤレス通信リンク１２５、１４５などを介して、電子デジタルマップなどのアイテムを含むメッセージを送信することが可能な１つまたは複数のワイヤードまたはワイヤレス通信またはコンピューティングネットワークを備え得るネットワーク１３０に動作可能に結合され得る。以下で説明するように、メッセージ中で送信されるアイテムは、たとえば、当該の屋内または同様のエリア（たとえば、ショッピングモール、小売アウトレットなど）の特徴を図示する電子デジタルマップ（たとえば、間取り図など）を含み得、電子デジタルマップは、そのエリアにおいてまたはそのエリアに入るときに、１つまたは複数のサーバ１４０、１５０、および１５５など、送信機によってモバイルデバイスに与えられ得る。特定の実装形態では、電子デジタルマップは、たとえば、当該の屋内エリアにおいてナビゲーション支援を与えるＬＣＩの間で分割され得る。たとえば、ショッピングモール内で測位支援を与えるためのＬＣＩは、１階、２階（first floor）、３階（second floor）などをカバーする１つまたは複数のＬＣＩに分割され得る。１階内では、たとえば、１つまたは複数のＬＣＩは、ほんの数例を挙げると、フードコート、１階駐車場、および／または大型百貨店の１階に関係し得、請求する主題はこの点について限定されない。
【００２８】
[0033]本明細書では一定数のコンピューティングプラットフォームまたはデバイスについて説明するが、任意の数の好適なコンピューティングプラットフォームまたはデバイスが、ネットワークトポロジー１００に関連する１つまたは複数の技法またはプロセスを可能にするか、またはさもなければサポートするために実装され得る。たとえば、時々、ネットワーク１３０は、モバイルデバイス１０２、１つまたは複数の基地トランシーバ局１１０、ワイヤレス送信機１１５、サーバ１４０、１５０、１５５などと通信するために主に屋内のカバレージエリアを拡張するために、１つまたは複数のワイヤードまたはワイヤレス通信ネットワーク（たとえば、Ｗｉ−Ｆｉ（登録商標）など）に結合され得る。いくつかの事例では、ネットワーク１３０は、たとえば、カバレージのフェムトセルベースの動作領域を可能にするかまたはサポートし得る。この場合も、これらは例示的な実装形態にすぎず、請求する主題はこの点について限定されない。
【００２９】
[0034]図２は、モバイルデバイスを測位するためにＬＣＩを選択するための方法が採用され得る、屋内環境の少なくとも一部分の画像を示す例示的なモバイルデバイス上のディスプレイの図２００である。実装形態では、図２のディスプレイデバイス２２０上に画像を生成することは、１つまたは複数のサーバ１４０、１５０、および１５５など、マップサーバが、たとえば、図１のワイヤレスネットワーク１３０およびワイヤレス送信機１１５を介してモバイルデバイス１０２にデジタルマップを送信することに応答して行われ得る。そのような送信に応答して、モバイルデバイス１０２は、ディスプレイデバイス２２０を使用してデジタルマップを生成し得る。だたし、ディスプレイデバイス２２０は多種多様な他の手段を介してデジタルマップを生成し得、請求する主題はこの点について限定されないことが指摘されるべきである。
【００３０】
[0035]図２のディスプレイデバイス２２０は、ＰＯＩ、ならびにショッピングモールの内部レイアウトを定義する壁および他の障害物など、様々な特徴を備える屋内ショッピングモールの少なくとも一部分を表すデジタルマップの画像を提示し得る。図２の実施形態では、たとえば、デジタルマップなどの支援データがマップサーバを介して与えられ得る個別のエリアを指定するために、１階ＬＣＩ２３０と１階ＬＣＩ２４０とが使用され得る。したがって、１つまたは複数の特徴２５０の近くに位置するモバイルデバイスは、たとえば、ショッピングモールの１階の約半分を指すＬＣＩのためのデジタルマップを備え得る測位支援を受信し得る。ユーザが特徴２６０に接近した場合、マップサーバは、たとえば、ショッピングモールの１階のもう半分を指すＬＣＩのための、１つまたは複数のデジタルマップなど、支援データを与え得る。図２の例では、２つのＬＣＩのみが示されているが、実施形態は、１つなど、より少数のＬＣＩ、ならびに５つ、１０個、２０個、またはそれ以上など、より多数のＬＣＩを利用し得、請求する主題はこの点について限定されないことに留意されたい。
【００３１】
[0036]実施形態では、モバイルデバイス２３５は、たとえば、１階ＬＣＩ２３０内のそれのロケーションを推定し得る。モバイルデバイス２３５上で実行している位置推定アプリケーションは、１つまたは複数のワイヤレスアクセスポイントからの往復遅延を推定すること、往復遅延測定値とヒートマップシグネチャとの相関など、本明細書で前に説明した１つまたは複数の手法を利用し得る。したがって、図２の例では、モバイルデバイス２３５は、モバイルデバイスとワイヤレスアクセスポイント２７２および２７４との間で送信される信号の往復遅延を少なくとも互いにほぼ等しいものとして推定し得る。モバイルデバイス２３５はまた、たとえば、モバイルデバイスと、１階ＬＣＩ２３０の左上隅に位置するワイヤレスアクセスポイント２７０との間で送信される信号の往復遅延を、モバイルデバイス２３５とワイヤレスアクセスポイント２７２との間で送信される信号の往復遅延よりもかなり大きいものとして推定し得る。モバイルデバイス２３５の位置が１階ＬＣＩ２３０内にあると推定された場合、マップサーバは、たとえば、ＬＣＩ２３０の特徴２５０を示すデジタルマップなどの測位支援を送信し得る。
【００３２】
[0037]同様に、モバイルデバイス２４５は、モバイルデバイスと、ワイヤレスアクセスポイント２７６、ワイヤレスアクセスポイント２７８、およびワイヤレスアクセスポイント２７４のうちの１つまたは複数との間で送信される信号の往復遅延を推定することによってそれのロケーションを推定し得る。モバイルデバイス２４５の位置が１階ＬＣＩ２４０内にあると推定された場合、マップサーバは、たとえば、ＬＣＩ２３０の特徴２６０を示すデジタルマップなどの測位支援を送信し得る。ただし、モバイルデバイス２３５および２４５は、往復信号遅延を推定すること、ヒートマップシグネチャなど以外の技法を介してロケーションを推定し得、請求する主題はこの点について限定されないことに留意されたい。さらに、モバイルデバイス２３５および２４５は、１つまたは複数のマップサーバを介して送信されたデジタルマップを受信することを介して測位支援を受信し得、請求する主題はこの点について限定されない。
【００３３】
[0038]たとえば、ワイヤレスアクセスポイント２７０、２７２、２７４、２７６、および２７８からの信号は、１つまたは複数のモバイルデバイス２３５および／または２４５によるそれの収集より前に信号をひずませ、減衰させ、または場合によっては変更し得る多種多様な現象を受け得ることが諒解され得る。たとえば、モバイルデバイス２３５の正確な測位に応じて、ワイヤレスアクセスポイント２７２からの信号は１つまたは複数の特徴２５０によって反射され得る。いくつかの事例では、そのような反射は、モバイルデバイス２３５において強め合う干渉を生じ得る。他の事例では、そのような反射は、モバイルデバイス２３５において弱め合う干渉を生じ得る。したがって、たとえば、ワイヤレスアクセスポイント２７２から送信される直接信号と反射信号とが互いに強め合うようにおよび弱め合うように干渉するので、モバイルデバイス２３５によって受信される信号は数デシベルだけ変動し得る。さらに、反射信号は、ワイヤレスアクセスポイントからの見通し線信号と反射信号との間の経路長の増加から少なくとも部分的に生じ得る往復遅延の増加を呈し得る。
【００３４】
[0039]いくつかの事例では、非全方向性カバレージを呈するモバイルデバイスのアンテナが、モバイルデバイス２３５において受信される信号強度の変動をもたらし得る。たとえば、モバイルデバイスは、モバイルデバイスを構成する様々な導電性および誘電体構造（たとえば、バッテリー、ディスプレイ電子回路、回路板、および他の材料）を格納するカバーの一方の側に配置された１つまたは複数のアンテナを備え得る。そのような実施形態では、モバイルデバイスアンテナは、いくつかの方向では、近くの導電性および誘電体構造の存在によってもたらされる減少した利得を呈し得る。他の方向では、モバイルデバイスアンテナは、干渉する金属構造の不在により増加した利得を呈し得る。
【００３５】
[0040]さらに他の事例では、モバイルデバイス２３５において受信される信号強度の変動は環境コントリビュータ（contributor）から少なくとも部分的に生じ得る。そのような変動は、たとえば、１つまたは複数のワイヤレスアクセスポイントからの信号強度の測定に応答したモバイルデバイスの位置の正確な推定を複雑にし得る。たとえば、ショッピングモールが比較的すいていることがある不景気なショッピングシーズン中に、信号は、１つまたは複数のモバイルデバイスアンテナにおいて受信される前に、比較的占有されていない自由空間を通って、ワイヤレスアクセスポイント間を伝搬するので、ワイヤレスアクセスポイント２７０、２７２、および２７４から送信された信号はわずかな減衰しか受けないことがある。対照的に、ショッピングモールが買い物客で混雑していることがあるポピュラーなショッピングシーズン中に、信号は、１つまたは複数のモバイルデバイスアンテナによって受信される前に、買い物客の集団を通って、ワイヤレスアクセスポイントから伝搬するので、ワイヤレスアクセスポイント２７０、２７２、および／または２７４から送信された信号はかなりの減衰を受けることがある。
【００３６】
[0041]したがって、様々な理由で、モバイルデバイス２３５および／または２４５は、ワイヤレスアクセスポイントから、振幅（すなわち、信号強度）が大きく変動する信号を受信し得る。したがって、いくつかの事例では、受信信号強度を使用するモバイルデバイス２３５および２４５の位置推定が特に問題になることがある。誤差および往復遅延および／または受信信号強度は、モバイルデバイス２３５および２４５のうちの１つまたは複数の位置推定における不確実性を増加させ得る。そのような事例では、モバイルデバイスは、それの実際のロケーションからかなりの距離にあるものとしてそれの位置を推定し得る。したがって、たとえば、１階ＬＣＩ２３０内に位置し得るモバイルデバイス２３５は、１階ＬＣＩ２４０内にあるものとしてそれのロケーションを推定し得る。したがって、不正確な位置推定に少なくとも部分的に基づいて、マップサーバは、１階ＬＣＩ２４０のデジタルマップなど、誤った測位支援を送信し得る。ＬＣＩ２４０を受信すると、モバイルデバイス２３５を所有するユーザは、ディスプレイデバイス上に提示され得るが、実際はモバイルデバイスの現在のロケーションからかなりの距離に位置し得る、ＰＯＩまたは他の特徴の位置を特定しようと試みることの困難を経験し得る。
【００３７】
[0042]図３は、一実施形態による、屋内環境の少なくとも一部分の画像を示す例示的なモバイルデバイス上のディスプレイの図３００である。図３は、たとえば、図２の１階ＬＣＩ２３０と１階ＬＣＩ２４０とを備えるショッピングモールの２階レイアウトを表し得る。図３では、駐車場（Parking Garage）３４０と、フードコート（Food Court）３５０と、メガマート（Mega Mart）３６０と、スポーツワールド（Sports World）３７０と、シューユニバース（Shoe Universe）３８０とを備える５つのＬＣＩの指示が、ディスプレイデバイス４２０を使用して提示される。ＬＣＩ内では、いくつかのＰＯＩ、特徴、構造、境界などに遭遇し得ることに留意されたい。たとえば、駐車場３４０は、ハンディキャップ駐車スペース、オートバイおよび自転車駐車エリア、バスおよびレクリエーション車両駐車エリアなどに対応するコンパクトなＰＯＩを含み得る、駐車スペースの多数の列を備え得る。同様に、フードコート３５０は、たとえば、レストランおよび他のフードベンダーに対応する様々なＰＯＩを備え得る。
【００３８】
[0043]図３では、モバイルデバイス３３５および（図３に示されていない）関連するユーザは、メガマート３６０、フードコート３５０、およびシューユニバース３８０のインターセクションの近くに位置し得る。モバイルデバイス３３５は、たとえば、図２に示されているように、たとえば、ワイヤレスアクセスポイント２７０、２７２、２７４など、１つまたは複数のワイヤレスアクセスポイントから受信された信号の特性を使用して、それの位置を推定することを試み得る。本明細書で前に説明したように、様々な理由で、モバイルデバイス３３５は、ワイヤレスアクセスポイントとモバイルデバイスとの間のマルチパス信号伝搬、直接信号と反射信号との間の強め合うおよび弱め合う干渉などに少なくとも部分的に起因して、それの位置を正確に推定することができないことがある。位置推定におけるそのような不確実性に応答して、たとえば、マップサーバは、モバイルデバイス３３５の推定ロケーションに最もよく対応するＬＣＩを確かめることが可能でないことがある。
【００３９】
[0044]実施形態では、図３に示されたすべてのＬＣＩ（たとえば、駐車場３４０、フードコート３５０、メガマート３６０、シューユニバース３８０、およびスポーツワールド３７０）のための支援データを与えるようにマップサーバに命令するのではなく、マップサーバは、代わりにユーザによる選択のために候補ＬＣＩの指示を与え得る。特定の実施形態では、候補ＬＣＩの指示は、尤度または確率が最も高いランクから、尤度または確率が最も低いランクへのランク順（たとえば、尤度の降順）で提示され得る。ただし、他の実施形態では、候補ＬＣＩの指示は、ＬＣＩ名によるアルファベット順に（たとえば、フードコート、メガマート、駐車場など）、ポピュラリティ（popularity）（たとえば、最もポピュラーなＬＣＩから最もポピュラーでないＬＣＩへ）、またはそれらの組合せなど、異なる順序に従ってディスプレイデバイス上で提示され得、請求する主題はこの点について限定されない。
【００４０】
[0045]図４は、一実施形態による、ユーザによる選択のために候補ＬＣＩの指示のリストを示す例示的なモバイルデバイス４００上のディスプレイの図である。図４に示されているように、モバイルデバイスユーザは、指示４９０ｒ例、ユーザのすぐ近くの周囲を提示され得る。いくつかの実施形態では、候補ＬＣＩは、ＬＣＩがモバイルデバイスの現在ロケーションを含む尤度の降順に提示され得る。他の実施形態では、候補ＬＣＩは、アルファベット順に、ユーザの現在推定ロケーションへの近接度の降順に（たとえば、最も近接したものから最も近接しないものへ）、選好の降順によって（たとえば、特定のストアへのまたは特定のストアにある製品への関心の事前の表現度に基づいて）、ＬＣＩのポピュラリティの降順によって（たとえば、最もポピュラーなものから最もポピュラーでないものへ）、ランダムな順序で、または他の手段によって提示され得、請求する主題はこの点について限定されない。いくつかの実施形態では、最高５つの候補ＬＣＩが、尤度の降順で配置され、モバイルデバイスユーザに提示され得る。したがって、図４では、たとえば、ディスプレイ４２０を介して提示されるＬＣＩの指示は、尤度または確率が最も高いＬＣＩを反映し得る「駐車場入口」から始まり、尤度または確率が５番目に高いＬＣＩを反映し得る「シューユニバース」で終わり得る。
【００４１】
[0046]実施形態では、候補ＬＣＩの尤度または確率は、たとえば、ＬＣＩの１つまたは複数のアクセスポイントの受信信号強度の測定または検出を介して決定され得る。たとえば、モバイルデバイスが、特定のアクセスポイントから特に強い無線信号を受信した場合、モバイルデバイスは、そのアクセスポイントに対応するＬＣＩ内にデバイスが位置する尤度が最も高いと推定し得る。２番目に強い信号、３番目に強い信号など、より弱い無線信号がそれから受信され得るアクセスポイントを備えるＬＣＩは、相応にランク付けされ得る。
【００４２】
[0047]他の実施形態では、たとえば、候補ＬＣＩの尤度または確率は、たとえば、ＬＣＩアクセスポイントの平均受信信号強度の測定または検出を介して決定され得る。たとえば、モバイルデバイスがＬＣＩのアクセスポイントのグループから信号を受信した場合、モバイルデバイスは、そのグループについての平均信号強度を計算し得る。アクセスポイントのグループについての平均信号強度は、たとえば、他のＬＣＩのアクセスポイントのグループからの平均信号強度と比較され、ディスプレイ４２０上で降順でランク付けされ得る。
【００４３】
[0048]いくつかの実施形態では、たとえば、候補ＬＣＩの尤度または確率は、たとえば、１つまたは複数のＬＣＩのポピュラリティを介して決定され得る。たとえば、モバイルデバイスユーザが、ポピュラーな駐車構造など、外部ロケーションから（図２の説明である説明したように）ショッピングモールにごく最近入った場合、尤度または確率が最も高いＬＣＩは、ショッピングモールの駐車場に最も近いエリアに対応し得る。したがって、ディスプレイデバイスは、駐車場入口の近くのエリアに対応するデジタルマップのダウンロードのために選択すべきオプションから始まる降順で候補ＬＣＩを配置し得る。図３では、たとえば、メガマートおよびスポーツワールドは駐車場入口に近接しているので、メガマートおよびスポーツワールドのためのインジケータは、尤度または確率が高い候補ＬＣＩのリストの最上位の近くにリストされ得る。図２の例を続けると、フードコートおよびシューユニバースのためのインジケータは、確率または尤度がより低い候補ＬＣＩを表し得る。
【００４４】
[0049]他の実施形態では、候補ＬＣＩの尤度または確率は、たとえば、モバイルデバイスの前の推定位置を介して決定され得る。１つの可能な例では、ユーザが外部ロケーションから複雑構造にごく最近入った場合、尤度または確率が最も高いＬＣＩは、外部ロケーションに接するＬＣＩに対応し得る。他の実施形態では、候補ＬＣＩの尤度または確率は、たとえば、モバイルデバイスの１つまたは複数のセンサーからの出力信号を介して決定され得る。一事例では、モバイルデバイスの出力信号が、たとえば、最近の垂直加速を示し、および／または気圧の減少を示した場合、モバイルデバイスは、下階に対応するＬＣＩの指示よりも高い尤度または確率をもつ複雑構造の上階に対応するＬＣＩの指示を提示し得る。
【００４５】
[0050]たとえば、候補ＬＣＩの尤度または確率の推定のための手法の任意の組合せがモバイルデバイスおよび／またはマップサーバによって採用され得、請求する主題はこの点について限定されないことに留意されたい。たとえば、候補ＬＣＩの尤度または確率を推定するために、様々な手法が同時にまたは連続的に採用され得る。手法の結果は、重み付け係数を割り当てられ、尤度または確率の全体的な複合または合成測度を形成するために合計または総計され得る。より高い複合または合成確率を有するＬＣＩの指示はディスプレイ４２０の上部の近くにリストされ得る。
【００４６】
[0051]したがって、ユーザは、ユーザがその内に位置する尤度が最も高い複雑構造の一部分を指すＬＣＩに従って、候補ＬＣＩの指示のリストから容易に選択し得る。このようにして、モバイルデバイスへのユーザインターフェースを介してＬＣＩを単に選択することなど、モバイルデバイスとの少量のユーザ対話を介して、ユーザは直接利益のある位置支援を受信し得る。実施形態では、ＬＣＩの選択は、たとえば、ワイヤレスアクセスポイントとのモバイルデバイスの近接度を検証するために１つまたは複数のワイヤレスアクセスポイントと通信することによって確認され得る。たとえば、ユーザが、図３のフードコート３５０に対応するＬＣＩのための指示を選択した場合、モバイルデバイスは、位置推定値を改善するために使用され得る信号往復時間遅延の更新された推定値を取得するために、フードコート３５０内の１つまたは複数のアクセスポイントとの交信（contact）を維持し得る。
【００４７】
[0052]特定の実施形態では、モバイルデバイスは、モバイルデバイスがＬＣＩのユーザ選択を確認することを可能にし得るセンサースイートを装備し得る。たとえば、ユーザが多層構造の上階のためのＬＣＩを選択した場合、垂直軸加速度計からの測定値は、たとえば、デバイスが上方向における加速度を最近受けたことを確認し得る。別の実施形態では、上階のためのＬＣＩのユーザ選択は、気圧センサーの出力信号の変化を監視することを介して気圧の最近の変化を検出することによって確認され得る。モバイルデバイスの様々なセンサーがＬＣＩのユーザ選択を確認するために利用され得、請求する主題はこの点について限定されないことに留意されたい。
【００４８】
[0053]いくつかの実施形態では、ＬＣＩのユーザ選択は、モバイルデバイスの推定ロケーションを評価し、推定ロケーションを「可能な」ロケーションと比較することを介して確認され得る。概念を示すために、図５に、一実施形態による、複数のＬＣＩを備える多層建築物の１階（上部）および地階（下部）のレイアウト５００を示す。図５の地階および１階のレイアウトは、たとえば、図２のディスプレイデバイス２２０を介して個々に表示され得る。
【００４９】
[0054]図５では、図２の説明と同様の様式で、ワイヤレスアクセスポイント５７０、５７２、５７４、５７６、および５７８が、１階ＬＣＩ２３０および２４０上に示された様々なロケーションに配置され得る。実施形態では、ユーザは、たとえば、モバイルデバイス２３５がその内に現在位置し得るＬＣＩ２４０のためのデジタルマップの形態で測位支援を受信することを望み得る。前述のように、測位支援は、ユーザがＬＣＩ２４０内の１つまたは複数のＰＯＩの位置を特定することを可能にすることによって、モバイルデバイス２３５のユーザにとって利益になり得る。また、前述のように、信号強度のひずみ、ワイヤレスアクセスポイントから受信された反射信号と見通し線信号との間の強め合うおよび弱め合う干渉、ならびに他の現象が、モバイルデバイス２４０の現在ロケーションを正確に推定する際に誤差をもたらし得る。
【００５０】
[0055]モバイルデバイスがモバイルデバイス２３５のユーザに候補ＬＣＩの指示を提示したことに応答して、ユーザは、レクリエーションエリア５１０に対応するＬＣＩを誤って選択し得る。誤った選択は、ユーザがディスプレイデバイス上に提示されたマテリアルを読み違えること、ユーザが彼または彼女の周囲をしっかり認識していないこと、ユーザがタッチスクリーンディスプレイの正しくない部分にタッチすることによって、または他のタイプのユーザエラーによってもたらされ得、請求する主題はこの点について限定されない。
【００５１】
[0056]モバイルデバイスが、たとえば、レクリエーションエリア５１０に対応し得るＬＣＩの選択を受信したことに応答して、モバイルデバイスは、ワイヤレス通信チャネルを介して、たとえば、レクリエーションエリア５１０に対応するＬＣＩのための位置支援を受信し得る。モバイルデバイスは、それのロケーションを、この事例では、たとえば、スイミングプール５３０内など、不可能なロケーションに対応し得るレクリエーションエリア５１０内の２３６にあると推定し得る。モバイルデバイスが、スイミングプール内に対応するものとして位置を推定したことに応答して、モバイルデバイスは、ＬＣＩのユーザの選択を拒否し、たとえば、および候補ＬＣＩの更新されたリスティング（listing）を提示し得る。
【００５２】
[0057]モバイルデバイスは様々な他の理由でＬＣＩのユーザ選択を拒否し得、請求する主題はこの点について限定されないことに留意されたい。一例では、ＬＣＩのユーザ選択に対応する、デジタルマップなどの測位支援を受信したことに応答して、モバイルデバイスは、コンクリート壁、バルクヘッド、または他の入り込めない構造内にあるものとしてそれのロケーションを推定し得る。別の例では、１階に位置するユーザは、ロフト、中２階、バルコニー、または１階を見おろす他の部分構造に対応するＬＣＩを誤って選択し得る。この事例では、モバイルデバイス上で動作しているナビゲーションアプリケーションは、モバイルデバイスが、十分な床または他の支持構造が存在しないエリア中にとうていあり得ないと決定し得る。
【００５３】
[0058]実施形態では、ユーザが正しくないＬＣＩを選択したという決定に応答して、モバイルデバイスはユーザ選択をオーバーライドし得る。図５の例など、一例では、モバイルデバイスが、スイミングプール内でモバイルデバイスを動作させることは可能でないと決定した場合、モバイルデバイスは、たとえば、ユーザ選択をオーバーライドし得る。別の例では、ユーザは、キーボード、キーパッド、タッチスクリーン、または他の入力デバイスを介してなど手動で、ＬＣＩの指示が候補ＬＣＩのリストにないことを入力し得る。別の例では、ユーザ入力が、約１０．０秒、１５．０秒３０．０秒、１．０分など、割り当てられた時間スパン内に受信されない場合、モバイルデバイスはユーザ選択をオーバーライドし得る。
【００５４】
[0059]別の例では、モバイルデバイスは、ユーザ選択を受信した後に、モバイルデバイスがユーザ選択されたＬＣＩを受信したことに応答して受信された測位支援に少なくとも部分的に基づいてモバイルデバイスが位置を計算することができないと決定したことに応答して、ユーザ選択をオーバーライドし得る。実施形態では、ユーザ選択されたＬＣＩは、たとえば、１つまたは複数のアクセスポイントに対応し得る。したがって、特定のＬＣＩの指示の選択の受信に応答して、モバイルデバイスは、特定のＬＣＩに対応する１つまたは複数のアクセスポイントからの信号を収集することを試み得る。デバイスがアクセスポイントからの信号を収集することができない場合、モバイルデバイスは、ユーザ選択されたＬＣＩをオーバーライドし、自動ＬＣＩ選択モードに戻り得る。自動ＬＣＩ選択モードでは、および最も高い確率または尤度を有するＬＣＩがモバイルデバイスによって選択され得る。
【００５５】
[0060]別の事例では、モバイルデバイスは、１つまたは複数のＬＣＩ内のロケーションを推定することを試み得、選択されたＬＣＩ内のユーザの推定ロケーションにおける不確実性に基づいてＬＣＩを選択し得る。したがって、たとえば、モバイルデバイスは、１つまたは複数のマップサーバからＬＣＩを受信し得、モバイルデバイスユーザが、ダウンロードされたＬＣＩによってカバーされるエリア内を動き回るにつれて、追加の推定位置の１つまたは複数の不確実性を計算し得る。ユーザが動き回るにつれて計算され得る、追加の推定位置における不確実性が、約５．０ｍ、約１０．０ｍなど、しきい値量よりも大きい値を備える場合、モバイルデバイスは、しきい値よりも低い不確実性を有するＬＣＩを自動的に（たとえば、ユーザ入力なしに）選択し得る。他の事例では、モバイルデバイスは、ＬＣＩ内の位置は尤度が低いかまたは不可能であると推定し得る。たとえば、ユーザが劇場のバルコニーに対応するＬＣＩを選択した場合、モバイルデバイスは、バルコニーの外側のロケーションに対応するユーザの位置の推定値は尤度が低いか、さらには不可能であり得ると決定し得る。そのような事例では、たとえば、モバイルデバイスは、たとえば、そのような推定位置が可能であり得る劇場の１階に対応するＬＣＩを自動的に（たとえば、ユーザ入力なしに）選択し得る。別の事例では、ユーザが、劇場の１階に対応するＬＣＩを選択し、２階バルコニーの縁に沿ったロケーションの中を厳密に移動するように見える場合、モバイルデバイスは、ユーザが実際はバルコニーに位置する可能性があると決定し得る。そのような事例では、モバイルデバイスは、たとえば、バルコニーに対応するＬＣＩを自動的に（たとえば、ユーザ入力なしに）選択し得る。ただし、モバイルデバイスは、他の状態に応答してユーザ選択をオーバーライドし得、請求する主題はこの点について限定されないことに留意されたい。
【００５６】
[0061]図６は、一実施形態による、モバイルデバイスを測位するためにＬＣＩを選択するための方法の流れ図６００である。図６で説明するものおよび本明細書の他のものなど、例示的な実装形態は、図示および説明されているもの以外のブロック、より少数のブロック、識別され得るものとは異なる順序で行われるブロック、またはそれらの任意の組合せを含み得る。本方法はブロック６１０から開始し得、ここにおいて、モバイルデバイスは、モバイルデバイスに位置支援を搬送し得るアクセスポイントおよび／または他の送信機から送信される信号について通信チャネルを走査する。ブロック６１０は、モバイルデバイスが、ショッピングモール、または他の複雑多層構造など、複雑屋内または部分的屋内構造に入ることに応答して実行され得る。ブロック６１５において、モバイルデバイスは、たとえば、１つまたは複数のアクセスポイントから候補ＬＣＩの順位リストを受信する。実施形態では、ＭＡＣ  ＩＤアドレスなどの識別信号が、順位リストからの対応するＬＣＩとともに与えられ得る。ブロック６２０において、モバイルデバイスは、ディスプレイデバイスを介して候補ＬＣＩをユーザに提示するより前に候補ＬＣＩを分類する。
【００５７】
[0062]ブロック６２５において、モバイルデバイスが「自動」動作モードに入った場合、ブロック６５０が実行され得、モバイルデバイスユーザは尤度が最も高いＬＣＩを選択する。実施形態では、尤度または確率が最も高いＬＣＩは、１つまたは複数のアクセスポイントから受信された信号の特性に少なくとも部分的に基づいて選択され得る。特性は、受信信号強度と、モバイルデバイスとアクセスポイントとの間の往復信号遅延と、他の基準とを含み得る。実施形態では、確率または尤度が最も高いＬＣＩは、第２のＬＣＩに対する第１のＬＣＩのポピュラリティ、気圧センサーおよび加速度計などのモバイルデバイスセンサーの最近の出力に少なくとも部分的に基づいて選択され得、および／またはモバイルデバイスの１つまたは複数の前の推定位置から得られ得る。尤度または確率が最も高いＬＣＩを推定するために様々な手法が使用され得、請求する主題はこの点について限定されないことに留意されたい。
【００５８】
[0063]ブロック６５５において、モバイルデバイスは、たとえば、アクセスポイントのＭＡＣ  ＩＤアドレスを対応するＬＣＩと一致させることによってＬＣＩの選択を確認する。たとえば、モバイルデバイスが、１つまたは複数の気圧センサー、垂直軸加速度計、または他のセンサーを装備し得る、特定の実施形態では、確認は、モバイルデバイスがそれの高度を増加または減少させたことを示し得る、気圧および／または垂直加速度の最近の変化を推定することを備え得る。高度のそのような増加または減少は、たとえば、モバイルデバイスが１階から２階（first floor）にまたはその逆に再配置されたことを示し得る。
【００５９】
[0064]ブロック６６０において、確認が成功した場合、モバイルデバイスは、ブロック６６５において、たとえば、マップサーバからデジタルマップを受信する形態で測位支援を取得する。しかしながら、確認が成功しなかった場合、ブロック６７０が実行され得、モバイルデバイスは新しい／修正された候補ＬＣＩリストを取得する。実施形態では、新しいまたは修正された候補ＬＣＩリストは、たとえば、前に選択されたＬＣＩが、ブロック６３５および／または６５５を介して確認され得なかった場合、１つまたは複数の前に選択されたＬＣＩを除外し得る。ブロック６７０を実行した後に、ブロック６２０が繰り返され得、たとえば、モバイルデバイスが現在ＬＣＩ内にある尤度の降順でなど、基準に従って、新しい／修正された候補ＬＣＩリストを分類する。ブロック６２０において分類された新しい／修正された候補リストは、確認され得なかった１つまたは複数の前に選択されたＬＣＩを除外し得る。
【００６０】
[0065]ブロック６２５の結果が、モバイルデバイスが手動ＬＣＩ選択モードに入れられたことを示す場合、ブロック６３０が実行され得、モバイルデバイスは、入力キーパッドタッチスクリーンまたは他の入力デバイスからＬＣＩの指示を受信することが可能であり得る。モバイルデバイスユーザは、たとえば、１つまたは複数の候補ＬＣＩの指示がディスプレイデバイスにない場合、手動モードを選択し得る。ブロック６３５において、ＬＣＩのユーザの手動入力を確認する。確認は、多層構造の異なる階へのモバイルデバイスの再配置を示すための垂直加速度および／または気圧の変化の測定を含み得る。ブロック６４０において、手動で選択されたＬＣＩが確認された場合、ブロック６４５が実行され得、モバイルデバイスは、たとえば、マップサーバからデジタルマップを受信する形態で測位支援を取得する。ブロック６４０が、確認が成功しなかったことを示した場合、ブロック６５０が実行され得、モバイルデバイスは自動ＬＣＩ選択モードに入り得、モバイルデバイスは尤度が最も高いＬＣＩを選択する。実施形態では、不成功の確認は、ユーザが、候補ＬＣＩのリスト上に存在しないＬＣＩを選択すること、モバイルデバイスが、選択されたＬＣＩに対応する１つまたは複数のアクセスポイントから信号を受信することに失敗すること、所定のしきい値を超えた誤差を受ける位置推定値、ユーザが、所与の時間期間（たとえば、約１５．０秒、約３０．０秒、約１．０分）内にＬＣＩに入ることに失敗すること、またはそれらの任意の組合せから起こり得る。
【００６１】
[0066]図７は、一実施形態による、モバイルデバイスを測位するためにＬＣＩを選択する方法７００のための流れ図である。図７の方法はブロック７０５から開始し得、場合によっては、ユーザが、ショッピングモール、空港ターミナル、または他の複雑構造など、多層複雑構造に入ることに応答して、モバイルデバイスは複数の候補ＬＣＩを識別する。７１０において、マップサーバなどのサーバが、たとえば、複数の候補ＬＣＩのうちの少なくとも２つをランク付けする。候補ＬＣＩのうちの少なくとも２つのランク付けは、トップランクの候補ＬＣＩによって参照されるエリア内にモバイルデバイスが位置する第１の確率または尤度を有するＬＣＩにトップランクを割り当てることを備え得る。ランク付けは、別の（たとえば、第２の）ランクのＬＣＩによって参照されるエリア内にモバイルデバイスが位置する第２の確率または尤度を有する別のＬＣＩをランク付けすることをさらに備え得る。７２０において、マップサーバは、たとえば、ステップ７１０において実行されたランク付けに少なくとも部分的に基づいて、たとえば、提示のために複数の候補ＬＣＩのうちの１つまたは複数を選択し得る。
【００６２】
[0067]特定の実施形態では、ブロック７２５が実行され得、第１の確率または尤度と第２の確率または尤度との間の差がしきい値量よりも小さいことに応答して、別の（たとえば、第２の）ランクのＬＣＩを提示する。たとえば、ブロック７１０において利用され得るランク付け技法は、たとえば、ユーザがＬＣＩ「Ａ」内に位置する確率を約２０．０パーセントとして計算し、ユーザがＬＣＩ「Ｂ」内に位置する確率を約２２．０パーセントとして計算し得る。したがって、所定のランク付けしきい値が、たとえば、約３．０パーセントである場合、ブロック７２５において、ＬＣＩ「Ａ」および「Ｂ」が提示のために選択され得る。したがって、実施形態では、ブロック７２５は、候補ＬＣＩのリストが、限られた状況の下でのみモバイルデバイスユーザに提示されることを可能にし得る。そのような限られた状況は、たとえば、モバイルデバイスが、正しいという尤度が他のランクのＬＣＩよりも明らかにまたは明確に高い候補ＬＣＩを識別することができない事例を備え得る。ブロック７２５は、モバイルデバイスユーザにとって迷惑を意味し得る、あまりに頻繁にＬＣＩを提示することを妨げ得る。
【００６３】
[0068]７３０において、モバイルデバイスは、提示されたトップランクの候補ＬＣＩまたは提示された別の（たとえば、第２の）ランクのＬＣＩの選択を受信する。実施形態では、その選択は、たとえば、モバイルデバイスのユーザインターフェースを使用して受信され得る。実施形態では、ブロック７３０は、少なくとも、候補ＬＣＩが位置し得る粗いロケーションを示すマップを提示することを備え、それによって、モバイルデバイスユーザがエリアの視覚表示を選択することを可能にし得る。いくつかの実施形態では、エリアの視覚表示の提示に応答したＬＣＩの選択は、たとえば、ユーザ選択を要請し、受信することへのより直観的な手法を表し得る。本方法はブロック７３５に進み得、モバイルデバイスは、提示された１つまたは複数の候補ＬＣＩのうちの１つの選択に少なくとも部分的に基づいてワイヤレス通信チャネルを介して測位支援を受信する。
【００６４】
[0069]図８は、一実施形態による、モバイルデバイスの概略図８００である。モバイルデバイス１０２（図１）は、図８に示されたモバイルデバイス８００の１つまたは複数の特徴を備え得る。いくつかの実施形態では、モバイルデバイス８００はまた、ワイヤレス通信ネットワーク上でアンテナ８２２を介してワイヤレス信号８２３を送信および受信することが可能であるワイヤレストランシーバ８２１を備え得る。ワイヤレストランシーバ８２１はワイヤレストランシーババスインターフェース８２０を介してバス８０１に結合され得る。ワイヤレストランシーババスインターフェース８２０は、いくつかの実施形態では、ワイヤレストランシーバ８２１に少なくとも部分的に統合され得る。いくつかの実施形態は、たとえば、ほんの数例を挙げると、ＩＥＥＥ規格８０２．１１のバージョン、ＣＤＭＡ、ＷＣＤＭＡ（登録商標）、ＬＴＥ、ＵＭＴＳ、ＧＳＭ（登録商標）、ＡＭＰＳ、Ｚｉｇｂｅｅ（登録商標）、およびＢｌｕｅｔｏｏｔｈ（登録商標）など、対応する複数のワイヤレス通信規格に従って信号を送信および／または受信することを可能にするために、たとえば、複数のワイヤレストランシーバ８２１とワイヤレスアンテナ８２２とを含み得る。
【００６５】
[0070]モバイルデバイス８００はまた、ＳＰＳアンテナ８５８を介してＳＰＳ信号８５９を受信および収集することが可能なＳＰＳ受信機８５５を備え得る。ＳＰＳ受信機８５５はまた、モバイルデバイス１０００のロケーションを推定するために、収集されたＳＰＳ信号８５９を全体的にまたは部分的に処理し得る。いくつかの実施形態では、（１つまたは複数の）汎用プロセッサ８１１、メモリ８４０、（１つまたは複数の）ＤＳＰ８１２および／または専用プロセッサ（図示せず）はまた、ＳＰＳ受信機８５５とともに、収集されたＳＰＳ信号を全体的にまたは部分的に処理し、ならびに／あるいはモバイルデバイス８００の推定ロケーションを計算するために利用され得る。測位動作を実行する際に使用するためのＳＰＳまたは他の信号の記憶は、メモリ８４０またはレジスタ（図示せず）中で実行され得る。
【００６６】
[0071]また、図８に示される、モバイルデバイス８００は、バスインターフェースによってバス８０１に接続された（１つまたは複数の）デジタル信号プロセッサ（（１つまたは複数の）ＤＳＰ）８１２と、バスインターフェースによってバス８０１に結合され、メモリ８４０に結合された（１つまたは複数の）汎用プロセッサ８１１とを備え得る。バスインターフェースは、（１つまたは複数の）ＤＳＰ８１２、（１つまたは複数の）汎用プロセッサ８１１およびメモリ８４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ８４０に記憶された１つまたは複数の機械可読命令の実行応答して、機能が実行され得る。１つまたは複数の命令は、（１つまたは複数の）汎用プロセッサ８１１、専用プロセッサ、または（１つまたは複数の）ＤＳＰ８１２によって実行可能であり得る。メモリ８４０は、本明細書で説明する機能を実行するために（１つまたは複数の）プロセッサ８１１および／または（１つまたは複数の）ＤＳＰ８１２によって実行可能であるソフトウェアコード（プログラミングコード、命令など）を記憶する非一時的プロセッサ可読メモリおよび／またはコンピュータ可読メモリを備え得る。
【００６７】
[0072]また、図８に示される、ユーザインターフェース８３５は、たとえば、ほんの数例を挙げると、スピーカー、マイクロフォン、ディスプレイデバイス、振動デバイス、キーボード、タッチスクリーンなど、いくつかのデバイスのうちのいずれか１つを備え得る。特定の実装形態では、ユーザインターフェース８３５は、ユーザがモバイルデバイス８００上にホストされた１つまたは複数のアプリケーションと対話することを可能にし得る。たとえば、ユーザインターフェース８３５のデバイスは、ユーザからのアクションに応答して（１つまたは複数の）ＤＳＰ８１２または汎用プロセッサ８１１によってさらに処理されるべきアナログまたはデジタル信号をメモリ８４０に記憶し得る。同様に、モバイルデバイス８００上にホストされたアプリケーションは、出力信号をユーザに提示するためにアナログまたはデジタル信号をメモリ８４０に記憶し得る。実装形態では、ユーザは、１つまたは複数の候補ＬＣＩの指示を選択するためにユーザインターフェース８３５と対話し得る。たとえば、マップサーバに結合されたワイヤレスアクセスポイントにワイヤレストランシーバ８２１を介してクエリ（query）が送信され得る。クエリに応答して、マップサーバなどのサーバは、モバイルデバイスのユーザに複数の候補ＬＣＩの指示のリストで応答し得る。別の実装形態では、モバイルデバイス８００は、たとえば、専用スピーカー、マイクロフォン、デジタルアナログ回路、アナログデジタル回路、増幅器、および／または利得制御を備える専用オーディオ入出力（Ｉ／Ｏ）デバイス８７０を随意に含み得る。ただし、これは、オーディオＩ／Ｏがモバイルデバイスにおいてどのように実装され得るかの一例にすぎず、請求する主題はこの点について限定されないことを理解されたい。別の実装形態では、モバイルデバイス８００は、キーボードまたはタッチスクリーンデバイスにタッチすること、またはそれに対する圧力に応答するタッチセンサー８６２を備え得る。
【００６８】
[0073]モバイルデバイス８００はまた、静止画または動画をキャプチャするための専用カメラデバイス８６４を備え得る。カメラデバイス８６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ８１１または（１つまたは複数の）ＤＳＰ８１２において実行され得る。代替的に、専用ビデオプロセッサ８６８が、キャプチャされた画像を表す信号の調整、符号化、圧縮、または操作を実行し得る。さらに、ビデオプロセッサ８６８は、モバイルデバイス８００上のディスプレイデバイス（図示せず）上での提示のために記憶された画像データを復号／復元し得る。
【００６９】
[0074]モバイルデバイス８００は、たとえば、慣性センサーと環境センサーとを含み得る、バス８０１に結合されたセンサー８６０をも備え得る。センサー８６０の慣性センサーは、たとえば、（たとえば、３次元におけるモバイルデバイス８００の加速度にまとめて応答する）加速度計、（たとえば、１つまたは複数のコンパスアプリケーションをサポートするための）１つまたは複数のジャイロスコープまたは１つまたは複数の磁力計を備え得る。モバイルデバイス８００の環境センサーは、たとえば、ほんの数例を挙げると、温度センサー、気圧センサー、周辺光センサー、カメライメージャ、マイクロフォンを備え得る。センサー８６０は、メモリ８４０に記憶され、たとえば、測位またはナビゲーション動作を対象とするアプリケーションなどの１つまたは複数のアプリケーションをサポートする汎用アプリケーションプロセッサ８１１によって処理され得るアナログまたはデジタル信号を生成し得る。
【００７０】
[0075]特定の実装形態では、モバイルデバイス８００は、ワイヤレストランシーバ８２１またはＳＰＳ受信機８５５において受信され、ダウンコンバートされた信号のベースバンド処理を実行することが可能な専用モデムプロセッサ８６６を備え得る。同様に、モデムプロセッサ８６６は、ワイヤレストランシーバ８２１による送信のためにアップコンバートされるべき信号のベースバンド処理を実行し得る。代替実装形態では、専用モデムプロセッサを有する代わりに、ベースバンド処理は汎用プロセッサまたはＤＳＰ（たとえば、汎用／アプリケーションプロセッサ８１１または（１つまたは複数の）ＤＳＰ８１２）によって実行され得る。ただし、これらはベースバンド処理を実行し得る構造の例にすぎず、請求する主題はこの点について限定されないことを理解されたい。
【００７１】
[0076]特定の実装形態では、モバイルデバイス１０００は、図７のプロセスに記載されているアクションのうちの１つまたは複数を実行することが可能であり得る。たとえば、汎用アプリケーションプロセッサ８１１は、ブロック７０５、７１０、７２０、７２５、７３０、および／または７３５におけるアクションの全部または一部分を実行し得る。
【００７２】
[0077]図９は、たとえば、図１に関して上記で説明した技法またはプロセスを実装するように構成可能な１つまたは複数のデバイスを含み得る例示的なシステム９００を示す概略図である。システム９００は、たとえば、ワイヤレス通信ネットワーク９０８を通して動作可能に結合され得る第１のデバイス９０２と、第２のデバイス９０４と、第３のデバイス９０６とを含み得る。一態様では、第１のデバイス９０２は、たとえば、基地局アルマナックなど、測位支援データを与えることが可能なサーバを備え得る。第２のデバイス９０４および第３のデバイス９０６は、一態様では、モバイルデバイスを備え得る。さらに、一態様では、ワイヤレス通信ネットワーク９０８は、たとえば、１つまたは複数のワイヤレスアクセスポイントを備え得る。ただし、請求する主題はこれらの点で範囲が限定されない。
【００７３】
[0078]図１０に示された第１のデバイス９０２、第２のデバイス９０４および第３のデバイス９０６は、ワイヤレス通信ネットワーク９０８を介してデータを交換するように構成可能であり得る、（たとえば、図１に示されたローカルトランシーバ１１５またはサーバ１４０、１５０または１５５など）任意のデバイス、アプライアンスまたは機械を表し得る。限定ではなく例として、第１のデバイス９０２、第２のデバイス９０４、または第３のデバイス９０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス９０２、第２のデバイス９０４、および第３のデバイス９０６のいずれも、それぞれ、本明細書で説明する例による基地局アルマナックサーバ、基地局、またはモバイルデバイスのうちの１つまたは複数を備え得る。
【００７４】
[0079]同様に、（たとえば、図１に示されたネットワーク１３０の実装形態の詳細における）通信ネットワーク９０８は、第１のデバイス９０２、第２のデバイス９０４、および第３のデバイス９０６のうちの少なくとも２つの間でのデータの交換をサポートするように構成可能な１つまたは複数の通信リンク、プロセス、またはリソースを表し得る。限定ではなく例として、通信ネットワーク９０８は、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス９０６の部分的に不明瞭にされたものとして示された破線ボックスによって示されるように、ワイヤレス通信ネットワーク９０８に動作可能に結合された追加の同様のデバイスがあり得る。したがって、限定ではなく例として、第２のデバイス９０４は、バス９２８を介してメモリ９２２に動作可能に結合された少なくとも１つの処理ユニット９２０を含み得る。システム９００に示された様々なデバイスおよびネットワーク、ならびに本明細書でさらに説明するプロセスおよび方法の全部または一部は、ハードウェア、ファームウェア、ソフトウェア、またはそれらの任意の組合せを使用して、またはさもなければ含めて実装され得ることを認識されたい。
【００７５】
[0080]処理ユニット９２０は、データコンピューティング手順またはプロセスの少なくとも一部分を実行するように構成可能な１つまたは複数の回路を表す。限定ではなく例として、処理ユニット９２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００７６】
[0081]メモリ９２２は何らかのデータ記憶機構を表す。メモリ９２２は、たとえば、１次メモリ９２４または２次メモリ９２６を含み得る。１次メモリ９２４は、たとえば、ランダムアクセスメモリ、読取り専用メモリなどを含み得る。この例では処理ユニット９２０とは別個であるものとして示されているが、１次メモリ９２４の全部または一部は、処理ユニット９２０内に設けられるか、またはさもなければ処理ユニット９２０と共設／結合され得ることを理解されたい。
【００７７】
[0082]特定の実装形態では、第２のデバイス９０４は、モバイルデバイスの推定ロケーションを計算することが可能であり得る。たとえば、第２のデバイス９０４は、通信ネットワーク９０８を通してクライアントＳＴＡ、受信ＳＴＡおよび／または送信ＳＴＡから受信するメッセージ中で、クライアントＳＴＡの推定ロケーションを計算する際に使用する式を形成する際に使用するパラメータを受信し得る。いくつかの実装形態では、第２のデバイス９０４のトランシーバ（図示せず）は、第２のデバイス９０４の推定ロケーションを第１のデバイス９０２に送信し得る。推定ロケーションを受信したことに応答して、第１のデバイス９０２は、第２のデバイス９０４の推定ロケーションに最も関連するＬＣＩが第２のデバイスに送信され得ると決定し得る。第２のデバイス９０４は、たとえばバス９２８に結合されたディスプレイデバイス（図示せず）を介して関連するＰＯＩを直ちに表示し得る。特定の実装形態では、ＬＣＩのためのデジタルマップは、第１のデバイス９０２から第２のデバイス９０４にストリーミングされ得る。２次メモリ９２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、２次メモリ９２６は、コンピュータ可読媒体９４０を動作可能に受容するか、またはさもなければそれに結合するように構成可能であり得る。コンピュータ可読媒体９４０は、たとえば、システム９００中のデバイスのうちの１つまたは複数のためにデータ、コードまたは命令を担持するかまたはアクセス可能にすることができる任意の非一時的媒体を含み得る。コンピュータ可読媒体９４０は記憶媒体と呼ばれることもある。
【００７８】
[0083]第２のデバイス９０４は、たとえば、少なくともワイヤレス通信ネットワーク９０８への第２のデバイス９０４の動作可能な結合を与えるか、またはさもなければそれをサポートする通信インターフェース９３０を含み得る。限定ではなく例として、通信インターフェース９３０は、ネットワークインターフェースデバイスまたはカード、モデム、ルータ、スイッチ、トランシーバなどを含み得る。
【００７９】
[0084]第２のデバイス９０４は、たとえば、入出力デバイス９３２を含み得る。入出力デバイス９３２は、人間または機械の入力を受け付けるか、またはさもなければそれを導入するように構成可能であり得る１つまたは複数のデバイスまたは特徴、あるいは人間または機械の出力を配信するか、またはさもなければそれを与えるように構成可能であり得る１つまたは複数のデバイスまたは特徴を表す。限定ではなく例として、入出力デバイス９３２は、動作可能に構成されたディスプレイ、スピーカー、キーボード、マウス、トラックボール、タッチスクリーン、データポートなどを含み得る。
【００８０】
[0085]本明細書で説明した方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明した機能を実行するように設計された他のデバイスユニット、またはそれらの組合せ内に実装され得る。
【００８１】
[0086]メモリ９２２は、任意の好適なまたは所望の情報記憶媒体を表し得る。たとえば、メモリ９２２は、１次メモリ９２４と２次メモリ９２６とを含み得る。１次メモリ９２４は、たとえば、ランダムアクセスメモリ、読取り専用メモリなどを含み得る。この例では処理ユニットとは別個であるものとして示されているが、１次メモリ９２４の全部または一部は、処理ユニット９２０内に設けられるか、またはさもなければ処理ユニット９２０と共設／結合され得ることを諒解されたい。２次メモリ９２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数の情報ストレージデバイスまたはシステムを含み得る。いくつかの実装形態では、２次メモリ９２６は、非一時的コンピュータ可読媒体９４０を動作可能に受容するか、またはさもなければそれに結合されることが可能であり得る。
【００８２】
[0087]本明細書に含まれる詳細な説明のいくつかの部分は、特定の装置あるいは専用コンピューティングデバイスまたはプラットフォームのメモリ内に記憶された２値デジタル信号に対する演算のアルゴリズムまたは記号表現に関して提示した。この特定の明細書のコンテキストでは、特定の装置などの用語は、プログラムソフトウェアからの命令に従って特定の動作を実行するようにプログラムされた汎用コンピュータを含む。アルゴリズムの説明または記号表現は、信号処理または関連技術の当業者が、自身の仕事の本質を他の当業者に伝達するために使用する技法の例である。アルゴリズムは、本明細書では、および一般には、所望の結果をもたらす自己無撞着な一連の演算または同様の信号処理と考えられる。このコンテキストでは、演算または処理は物理量の物理的操作を伴う。一般に、必ずしも必要ではないが、そのような量は、記憶、転送、結合、比較、または他の方法で操作されることが可能な電気信号または磁気信号の形態をとり得る。主に一般的な用法という理由で、そのような信号をビット、データ、値、要素、記号、文字、項、数、数字などと呼ぶことは時々便利であることがわかっている。ただし、これらまたは同様の用語はすべて、適切な物理量に関連すべきものであり、便利なラベルにすぎないことを理解されたい。別段に明記されていない限り、本明細書の説明から明らかなように、本明細書全体にわたって、「処理する」、「計算する（computing）」、「計算する（calculating）」、「決定する」などの用語を利用する説明は、専用コンピュータ、専用計算装置または同様の専用電子コンピューティングデバイスなど、特定の装置の動作またはプロセスを指すことを諒解されたい。したがって、本明細書のコンテキストでは、専用コンピュータまたは同様の専用電子コンピューティングデバイスは、専用コンピュータまたは同様の専用電子コンピューティングデバイスのメモリ、レジスタ、または他の情報記憶デバイス、送信デバイス、またはディスプレイデバイス内の、電子的または磁気的な物理量として一般に表される信号を操作または変換することが可能である。
【００８３】
[0088]本明細書で説明するワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。「ネットワーク」および「システム」という用語は本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」：Global System for Mobile Communications）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公開されている。４Ｇロングタームエボリューション（「ＬＴＥ」：Long Term Evolution）通信ネットワークも、一態様において、請求する主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明したワイヤレス通信実装形態はまた、ＷＷＡＮ、ＷＬＡＮまたはＷＰＡＮの任意の組合せとともに使用され得る。
【００８４】
[0089]本明細書で使用する「および」、および「または」という用語は、それが使用される文脈に少なくとも部分的に依存する様々な意味を含み得る。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。本明細書全体にわたる「一例」または「例」への言及は、その例に関して説明する特定の特徴、構造、または特性が、請求する主題の少なくとも１つの例の中に含まれることを意味する。したがって、本明細書全体にわたる様々な箇所における「一例では」または「例」という句の出現は、必ずしもすべてが同じ例を指すとは限らない。さらに、それらの特定の特徴、構造、または特性は、１つまたは複数の例において組み合わせられ得る。本明細書で説明した例は、機械、デバイス、エンジン、またはデジタル信号を使用して動作する装置を含み得る。そのような信号は、電子信号、光信号、電磁信号、またはロケーション間で情報を与える任意の形態のエネルギーを備え得る。
【００８５】
[0090]現在例示的な特徴と考えられることについて例示し説明したが、請求する主題から逸脱することなく、様々な他の変更が行われ得、均等物が代用され得ることが、当業者には理解されよう。さらに、本明細書に記載の中心概念から逸脱することなく、請求する主題の教示に特定の状況を適合させるために多くの変更を行い得る。したがって、請求する主題は、開示された特定の例に限定されず、そのような請求する主題はまた、添付の特許請求の範囲内に入るすべての態様とそれらの均等物とを含み得るものとする。
【図１】
2016526152.tif 000003
【図２】
2016526152.tif 000004
【図３】
2016526152.tif 000005
【図４】
2016526152.tif 000006
【図５】
2016526152.tif 000007
【図６】
2016526152.tif 000008
【図７】
2016526152.tif 000009
【図８】
2016526152.tif 000010
【図９】
2016526152.tif 000011
【国際調査報告】
2016526152.tif 000012
2016526152.tif 000013
2016526152.tif 000014